(57)【特許請求の範囲】
【請求項１】
吸収材と、この吸収材に配置されて長さ方向に延在する直径が１〜３ｍｍの金属製または合成樹脂製のコイルスプリング状の螺旋状フレキシブル部材とを含む吸収シート体を備えていることを特徴とする使い捨て吸収性物品。
【請求項２】
長さ方向に延在する上記吸収材が、幅方向に間隔を隔てて複数配され、
上記螺旋状フレキシブル部材は、上記吸収材の間に配置されている請求項１記載の使い捨て吸収性物品。
【請求項３】
上記螺旋状フレキシブル部材が配置されている部位には、吸収材が存在しない構成である請求項１または２記載の使い捨て吸収性物品。
【請求項４】
上記吸収シート体は、外装シートの肌面側に取付けられている請求項１〜３のいずれかに記載の使い捨て吸収性物品。
【請求項５】
上記吸収材と螺旋状フレキシブル部材とは、透液性若しくは不透液性の下部シート上に固定されて、この下部シートとともに透液性のティッシュでくるみ込まれている請求項１〜４のいずれかに記載の使い捨て吸収性物品。
【請求項６】
上記吸収材と螺旋状フレキシブル部材とは、透液性の上部シートと透液性若しくは不透液性の下部シートとの間に挟まれて固定されている請求項１〜４のいずれかに記載の使い捨て吸収性物品。
【請求項７】
上記吸収材は、高分子吸収材のみからなる請求項１〜６のいずれかに記載の使い捨て吸収性物品。
【請求項８】
上記吸収材は、パルプ材と高分子吸収材との混合体でなる請求項１〜６のいずれかに記載の使い捨て吸収性物品。
【請求項９】
上記吸収シート体の上面に、液拡散用シートが配置されている請求項１〜８のいずれかに記載の使い捨て吸収性物品。
【請求項１０】
上記吸収シート体の上面に、左右一対の防漏性立体フラップが配置されている請求項１〜９のいずれかに記載の使い捨て吸収性物品。
【請求項１１】
長さ方向に延在する上記螺旋状フレキシブル部材が幅方向に５本配置されている請求項１〜１０のいずれかに記載の使い捨て吸収性物品。
【発明の詳細な説明】
【０００１】
【発明の属する技術分野】
本発明は、使い捨て吸収性物品に関する。
【０００２】
【従来の技術】
従来、使い捨て吸収性物品において、高密度の高分子吸収材を有する吸収シート体で排尿を吸収させるような場合、高分子吸収材によって初期吸収は迅速に行われやすいが、繰り返し吸収においては吸収シート体全体が効果的に使用されにくいので、吸収シート体全体の吸収能力が充分に発揮できないという問題があった。
【０００３】
【発明が解決しようとする課題】
特に、大人用の使い捨てパンツやおむつなどの使い捨て吸収性物品においては、座位で排尿すると、体圧負荷により吸収シート体が押し潰されたような状態となることから、吸収されるスピードより排尿するスピードが早い場合には、排尿が吸収シート体の内部に溜まって、外部に漏れ出すこととなる。特に体圧負荷が大きい場合には、体圧負荷位置で排尿の吸収が止まって、その後の排尿は、吸収シート体の未吸収の領域に達することができないから、体圧負荷位置で溢れて、より外部に漏れ出しやすくなる。
【０００４】
本発明は、上記従来の問題を解消するためになされたもので、特に座位状態における体圧負荷位置で排尿の吸収を止めることなく、素早く拡散吸収させることができる使い捨て吸収性物品を提供することを目的とするものである。
【０００５】
【課題を解決するための手段】
上記課題を解決するために、本発明は、吸収材と、この吸収材の幅方向の間に配置されて長さ方向に延在する螺旋状フレキシブル部材とを含む吸収シート体を備えていることを特徴とする使い捨て吸収性物品を提供するものである。
【０００６】
本発明によれば、吸収材の幅方向の間で長さ方向に延在する螺旋状フレキシブル部材は、その螺旋構造により、全周囲に亘って排尿入出口が確保されるとともに、内部の全長に亘って排尿拡散用通路が確保されるようになる。そして、特に座位状態における体圧負荷時に変形しても、排尿入出口と排尿拡散用通路とは確保されるから、排尿拡散用通路の両側の吸収材に排尿を素早く拡散吸収できるようになる。この螺旋状フレキシブル部材は、体圧負荷解除時には自然に復元する。また、螺旋状フレキシブル部材は、着用者の肌面曲率に容易に沿いやすく、着用者の動きによる吸収シート体の曲がりや捻れに対しても容易に追随できるフレキシブル性を有して、違和感やゴワゴワ感を感じさせない。
【０００７】
上記螺旋状フレキシブル部材は、金属製または合成樹脂製であると、体圧負荷解除時の復元が迅速かつ確実に行われるようになる。
【０００８】
上記螺旋状フレキシブル部材が配置されている部位には、実質的に吸収材が存在しない構成であると、螺旋状フレキシブル部材で排尿拡散用通路が確保できるようになる。
【０００９】
上記吸収シート体は、外装シートの肌面側に取付けられていると、使い捨てパンツや使い捨ておむつとして使用できるようになる。
【００１０】
上記吸収材と螺旋状フレキシブル部材とは、透液性若しくは不透液性の下部シート上に固定されて、この下部シートとともに透液性のティッシュでくるみ込まれている構成とすることができる。
【００１１】
上記吸収材と螺旋状フレキシブル部材とは、透液性の上部シートと透液性若しくは不透液性の下部シートとの間に挟まれて固定されている構成とすることができる。
【００１２】
上記吸収材は、高分子吸収材のみからなる構成が好ましい。
【００１３】
上記吸収材は、パルプ材と高分子吸収材との混合材でなる構成とすることができる。
【００１４】
上記吸収シート体の上面に、液拡散用シートが配置されているのが好ましい。
【００１５】
上記吸収シート体の上面に、左右一対の防漏性立体フラップが配置されているのが好ましい。
【００１６】
【発明の実施の態様】
以下、本発明の実施の態様を図面を参照して詳細に説明する。
【００１７】
図１は使い捨てパンツ１の分解斜視図、図２は展開状態の平面図、図３は完成状態の正面図、図４は図２のＡ−Ａ線拡大断面図、図５は吸水シート体３の斜視図である。
【００１８】
上記使い捨てパンツ１は、外装シート体２と吸水シート体３とで基本構成されている。
【００１９】
上記外装シート体２は、第１外装（外面）シート４と第２外装（肌面）シート５とレッグ用弾性糸６とウエスト用弾性糸７とで構成されている。
【００２０】
第１外装シート４と第２外装シート５とは、使い捨てパンツ１の外形状に形成されていて、前腹部Ｐと後背部Ｑとの間の股部Ｒの両側にはレッグ開口部Ｓが形成されている。
【００２１】
上記各外装シート４，５は、通気性に優れた合成繊維不織布製であって、第１外装シート４の上面には、各レッグ開口部Ｓの開口縁に沿って半円形状にレッグ用弾性糸６が伸長状態で添設されてレッグ用弾性部が形成されるとともに、前腹部Ｐと後背部Ｑの上端縁に沿って直線状にウエスト用弾性糸７が伸長状態で添設されてウエスト用弾性部が形成されるようになる。
【００２２】
そして、この第１外装シート４の上面に、上記各弾性糸６，７を挟み込んだ状態で第２外装シート５を接着することにより、外装シート体２が形成されるようになる。
【００２３】
上記各弾性糸６，７は、ポリウレタン糸、ポリウレタンフィルム、天然ゴム、発泡ウレタンなどが使用でき、１本のみならず複数本を添設しても良い。
【００２４】
上記吸水シート体３は、下部シート９と吸収材１０とフレキシブル部材１１ととで基本構成されている。
【００２５】
上記下部シート９は、上記外装シート２のレッグ用弾性部の内幅よりも狭く設定されるとともに、その長さは、外装シート体２の長さよりも短く設定されている。
【００２６】
上記下部シート９は、透液性の合成繊維不織布または不透液性の合成樹脂（例えばポリエチレン）フィルム若しくは撥水（防水）処理された合成繊維不織布を用いるのが好ましい。
【００２７】
この下部シート９の上面には、図５に示すように、一定の幅ｗ１を有し、かつ幅方向に一定の間隔ｗ２を隔てて長さ方向に延在する吸収材１０が接着されている。
【００２８】
上記吸収材１０としては、粒子若しくは繊維状の高分子吸収材を均一な厚みｔになるように、下部シート９の上面にカーテンスプレーしたホットメルト接着剤で接着する。この高分子吸収材としては、ポリアクリル酸塩系等の吸水量が大きく、吸水速度が速いものを用いることが好ましい。
【００２９】
そして、上記吸収材１０の幅ｗ１の間には、上記間隔ｗ２と厚みｔとに相当する断面積の排尿拡散用通路１０ａが形成されるようになる。
【００３０】
上記吸収材１０は、高分子吸収材のみからなるものが好ましいが、高分子吸収材（例えば５０〜６０％）とパルプ材（例えば５０〜４０％…熱接着繊維を含む）との混合体であっても良い。なお、吸収材１０はこれらの物に限られるものではない。
【００３１】
上記下部シート９の上面で上記吸収材１０の間隔ｗ２の中には、吸収材１０とほぼ同じ長さで、より好ましくは吸収材１０の長さ方向の上下端部では存在しない程度に少し短い長さで長さ方向に延在する螺旋状フレキシブル部材１１が配置されている。この螺旋状フレキシブル部材１１は、上記カーテンスプレーしたホットメルト接着剤を利用して接着しても良いし、接着せずに後述するティッシュ１３でくるみ込めば脱落することはない。
【００３２】
上記螺旋状フレキシブル部材１１は、図６に示すように、可撓性の金属製若しくは熱可塑性樹脂製の螺旋状体（コイルスプリング状）であり、その高さ（直径）は、上記吸収材１０の厚みｔと同程度若しくはそれ以下、例えば１〜３ｍｍ程度が好ましく、その線径は０．０５〜０．５ｍｍ程度が好ましい。
【００３３】
また、この螺旋状フレキシブル部材１１は、ピッチが０であるとフレキシブル性（可撓性）に欠けることから、ピッチ０の原長から１．５〜２．５倍程度に引き延ばしてその状態を固定させたものを上記吸収材１０の間隔ｗ２の中に配置する。
【００３４】
そして、上記吸収材１０の上面にスパイラルスプレーでホットメルト接着剤を塗布した後に、下部シート９とともにティッシュ（薄葉紙）１３でくるみ込む。
【００３５】
上記ティッシュ１３を用いないで、図７（ａ）に示すように、上記吸収材１０の上面にスパイラルスプレーでホットメルト接着剤を塗布した後に、透液性の上部シート１４を接着して、この上部シート１４と下部シート９との間で吸収材１０とフレキシブル部材１１とを挟んで固定することもできる。
【００３６】
上記吸収材１０の間隔ｗ２の中に螺旋状フレキシブル部材１１を配置することは、換言すれば、螺旋状フレキシブル部材１１が配置されている部位には、実質的に吸収材１０が存在しない構成であるが、図７（ｂ）（ｃ）に示すように、螺旋状フレキシブル部材１１を配置した後に、吸収材１０を接着することもできる。
【００３７】
例えば、下部シート９にホットメルト接着剤をカーテンスプレーで塗布して、そこに螺旋状フレキシブル部材１１を接着した後に、粒子若しくは繊維状の高分子吸収材からなる吸収材１０を接着して、その後に、吸収材１０の上面にスパイラルスプレーでホットメルト接着剤を塗布すれば良い。この場合には、螺旋状フレキシブル部材１１の中空部に吸収材１０が多量に入り込まないように配慮することが好ましい。
【００３８】
さらに、図７（ｄ）に示すように、吸収材１０と螺旋状フレキシブル部材１１は、１段だけではなく、２段以上に積層することも可能である。
【００３９】
上記吸水シート体３は、上記外装シート体２の第２外装（肌面）シート５に接着した防水シート１５の上面の所定位置に接着固定するとともに、この防水シート１５の両側部１５ａを吸水シート体３の両側上部まで巻き上げて接着することにより、吸水シート体３からの横漏れを防止している。
【００４０】
この防水シート１５の巻き曲げた両側部１５ａの上部には吸水シート体３の上面を覆う透液性の表面シート１６を接着する。
【００４１】
上記吸収シート体３の上面に、バルキー性不織布若しくはメッシュシート等の液拡散用シート１７を配置することが好ましく、この場合には、尿を素早く拡散できるようになる。
【００４２】
また、上記吸収シート体３の上面に、左右一対の防漏性立体フラップ１８を配置することが好ましく、この場合には、吸水シート体３からの横漏れを確実に防止できるようになる。この各立体フラップ１８は、少なくともその内面側は撥水または防水処理された合成繊維不織布を用いることが好ましく、外面側は肌触りの点から撥水又は防水処理がなされていない親水化繊維となっていることが好ましいが、疎水性繊維であってもよい。
【００４３】
この各立体フラップ１８の上折り返し部１８ａにはフラップ用弾性糸１９が伸長状態で添設されて、各立体フラップ１８の上折り返し部１８ａが自然に立ち上がるようになる。このフラップ用弾性糸１９も上記各弾性糸６，７と同様に、ポリウレタン糸などが使用でき、１本のみならず複数本を添設しても良い。
【００４４】
上記各立体フラップ１８は、上記吸収シート体３の幅方向に離間させた状態で、下端部１８ｂを吸水シート体３の下部に潜り込ませて、上記外装シート体２の第２外装（肌面）シート５に接着するとともに、上端部１８ｃを上記表面シート１６に接着することにより、立体フラップ付き吸収シート体３が構成されるようになる。
【００４５】
そして、吸水シート体３を含む外装シート２を股部Ｒを境にして前後に２つ折りして、前腹部Ｐと後背部Ｑの両側縁部１ａをそれぞれ接合することにより、使い捨てパンツ１として図３の完成状態に組み立てられる。
【００４６】
上記のように構成した使い捨てパンツ１の吸水シート体３の作用を説明する。吸水シート体３の螺旋状フレキシブル部材１１は、その螺旋構造により、全周囲に亘って排尿入出口が確保されるとともに、内部の全長に亘って排尿拡散用通路１０ａが確保されるようになる。
【００４７】
そして、図６（ｃ）に示すように、着用者Ｍの座位状態における体圧負荷時に変形しても、排尿入出口と排尿拡散用通路１０ａとは確保されるから、排尿拡散用通路１０ａの両側の吸収材１０に排尿を素早く拡散吸収できるようになるので、吸収されるスピードより排尿するスピードが早い場合でも、排尿が外部に漏れ出すおそれが少なくなる。
【００４８】
また、排尿後に着用者Ｍが立ち上がったような場合の体圧負荷解除時には（図６（ｂ）参照）、螺旋状フレキシブル部材１１が弾力で迅速に復元することにより、排尿拡散用通路１０ａが再び確保されるから、初期吸収は勿論、繰り返し吸収においても吸収材全体が効果的に使用されるので、吸収シート体３全体の吸収能力を充分に発揮できるようになる。
【００４９】
さらに、螺旋状フレキシブル部材１１は、着用者Ｍの肌面曲率に容易に沿いやすく、着用者Ｍの動きによる吸収シート体３の曲がりや捻れに対しても容易に追随できるフレキシブル性を有して、違和感やゴワゴワ感を感じさせない。
【００５０】
上記螺旋状フレキシブル部材１１は、金属製または合成樹脂製の螺旋状体であるから、復元性が強いので、体圧負荷解除時の復元が迅速かつ確実に行われる。
【００５１】
また、図４または図５のように、上記螺旋状フレキシブル部材１１が配置されている部位には、実質的に吸収材１０が存在しない構成であると、螺旋状フレキシブル部材１１の中空部に吸収材１０が入り込まないから、排尿拡散用通路１０ａが確実に確保できるので、常に安定に排尿を素早く吸収できるようになる。
【００５２】
上記実施形態では、吸水シート体３を使い捨てパンツ１に使用したものであったが、吸水シート体３を取り替え可能な使い捨ておむつに使用したり、吸水シート体３を単体で使用することも可能である。
【００５３】
【発明の効果】
以上の説明からも明らかなように、本発明は、吸収材の幅方向の間で長さ方向に延在する螺旋状フレキシブル部材は、その螺旋構造により、全周囲に亘って排尿入出口が確保されるとともに、内部の全長に亘って排尿拡散用通路が確保されるようになる。そして、特に座位状態における体圧負荷時に変形しても、排尿入出口と排尿拡散用通路とは確保されるから、排尿拡散用通路の両側の吸収材に排尿を素早く拡散吸収できるようになる。この螺旋状フレキシブル部材は、体圧負荷解除時には自然に復元する。また、螺旋状フレキシブル部材は、着用者の肌面曲率に容易に沿いやすく、着用者の動きによる吸収シート体の曲がりや捻れに対しても容易に追随できるフレキシブル性を有して、違和感やゴワゴワ感を感じさせない。
【００５４】
また、螺旋状フレキシブル部材は、金属製または合成樹脂製の螺旋状体であると、体圧負荷解除時の復元が迅速かつ確実に行われるようになる。
【００５５】
さらに、螺旋状フレキシブル部材が配置されている部位には、実質的に吸収材が存在しない構成であると、螺旋状フレキシブル部材で排尿拡散用通路が確実に確保できるので、常に安定に排尿を素早く吸収できるようになる。
【図面の簡単な説明】
【図１】  使い捨てパンツの分解斜視図である。
【図２】  展開状態の平面図である。
【図３】  完成状態の正面図である。
【図４】  図２のＡ−Ａ線拡大断面図である。
【図５】  吸水シート体の斜視図である。
【図６】  螺旋状フレキシブル部材であり、（ａ）は斜視図、（ｂ）は体圧負荷時解除の側面図、（ｃ）は体圧負荷時の側面図である。
【図７】  （ａ）〜（ｄ）は、それぞれ吸水シート体の変形例の側面図である。
【符号の説明】
１    使い捨てパンツ
２    外装シート体
３    吸水シート体
９    下部シート
１０  吸水材
１１  螺旋状フレキシブル部材
１３  ティッシュ
１４  上部シート
１７  液拡散シート
１８  立体フラップ
【図１】
0005088843.tif 000002
【図２】
0005088843.tif 000003
【図３】
0005088843.tif 000004
【図４】
0005088843.tif 000005
【図５】
0005088843.tif 000006
【図６】
0005088843.tif 000007
【図７】
0005088843.tif 000008